(57)【特許請求の範囲】
【請求項１】
前面開口の貯蔵庫本体と、前板と裏板とこの両者間に渡る側板の間に形成された空間に断熱材が発泡充填され前記貯蔵庫本体の前面開口を開閉する扉と、この扉の前面端縁部に沿って取り付けられる握りハンドルを備え、前記握りハンドルは握り部とその両端部に設けた取り付け部が一体に木製で形成された木製ハンドルであり、前記扉の端縁部は、前記扉の前板とは別体に設けられ、前記扉の前板の一部を形成するよう前記扉の前板の端部に組み合わされる前面ベース板及び前記扉の一側の側板を構成する側面板を備えたハンドル取り付け板で構成され、前記取り付け部にはネジ込み口が裏側の取り付け面に開口する状態に埋め込まれたナットを備え、前記断熱材の発泡充填前に前記前面ベース板の裏側から前記ナットに螺合する取り付けネジによって前記取り付け部が前記前面ベース板の前面側に固定されたことを特徴とする貯蔵庫。
【請求項２】
前面開口の貯蔵庫本体と、金属製前板と裏板とこの両者間に渡る側板の間に形成された空間に断熱材が発泡充填され前記貯蔵庫本体の前面開口を開閉する扉と、この扉の前面端縁部に沿って取り付けられる握りハンドルを備え、前記握りハンドルは握り部とその両端部に設けた取り付け部が一体に木製で形成された木製ハンドルであり、前記扉の端縁部は前記扉の前板とは別体に設けられたハンドル取り付け板で構成され、前記ハンドル取り付け板は、前記扉の前板の一部を形成するよう前記扉の前板の端部に組み合わされる合成樹脂製の前面ベース板と、前記前面ベース板に前端が接合され前記扉の一側の側板を構成する合成樹脂製の側面板とを備え、前記取り付け部にはネジ込み口が裏側の取り付け面に開口する状態に埋め込まれたナットを備え、前記断熱材の発泡充填前に前記前面ベース板の裏側から前記ナットに螺合する取り付けネジによって前記取り付け部が前記前面ベース板の前面側に固定されたことを特徴とする貯蔵庫。
【発明の詳細な説明】
【技術分野】
【０００１】
本発明は、貯蔵庫本体の前面開口を開閉する扉に握りハンドルを備えた家庭用冷凍冷蔵庫等の貯蔵庫に関する。
【背景技術】
【０００２】
貯蔵庫本体の前面開口を開閉する扉に握りハンドルを備えた貯蔵庫において、握りハンドルは、厚肉円柱状の把持部と、この把持部の両端に扉表面への当接部を設け取り付け部とからなり、これを射出成形による厚肉の一体品で形成したものがある。（例えば、特許文献１）。
【０００３】
特許文献１のものは、従来品として、射出成形による半円状のベース部とこの半円状のベース部の表面側に配置される半円状の飾りカバーの2部品の係合によって断面円筒状の把持部を形成するものや、断面が略円柱状をなしているが、表面のひけを防止するために肉盗み凹部を設けたハンドル本体を射出成形で形成し、この凹部を表面飾り板で隠蔽したものがあるが、前者は2部品の係合体であって内部に補強材が必要となり、部品相互間の軋み音が発生すること、また後者は、前者同様の問題があると共に、表面飾り板はあくまで凹部の覆いであるからハンドル衣装とし限られたデザインとなることを解決するための発明である。
【特許文献１】特開２００４−３４７２１６号公報
【発明の開示】
【発明が解決しようとする課題】
【０００４】
特許文献１の握りハンドルは、把持部が厚肉円柱状であり、この把持部の両端の取り付け部は、扉の前面からネジによって扉前面板にネジ止めし、その前面をキャップ部材で隠蔽するものである。これによって軋み音などの上記問題は解決するであろうが、このハンドルは、射出成形による厚肉の一体品で形成した合成樹脂製であるため、高級感が出し難い。
【０００５】
家庭用冷凍冷蔵庫等の貯蔵庫も、相互に離れる方向に横開き（通称、観音開き）できる左右併設の扉を備えたものがあり、扉の塗装や形状等によって高級感のあるものが出現しており、この場合、この扉にマッチングする高級ハンドルが求められる。本発明は、この点に鑑みて、高級感のある貯蔵庫とするために、合成樹脂製ハンドルに替わって木製ハンドルを採用する。この木製ハンドルは、全体的に木材の材質と木目によって合成樹脂にない外観を醸し出し、握ったときの木製の感触によって高級感が味わえると共に、強度が確保され軋み音が出ない構造とするために、握り部とその両端部に設けた取り付け部が一体に木製で形成されものとするものである。
【課題を解決するための手段】
【０００６】
第１発明の貯蔵庫は、前面開口の貯蔵庫本体と、前板と裏板とこの両者間に渡る側板の間に形成された空間に断熱材が発泡充填され前記貯蔵庫本体の前面開口を開閉する扉と、この扉の前面端縁部に沿って取り付けられる握りハンドルを備え、前記握りハンドルは握り部とその両端部に設けた取り付け部が一体に木製で形成された木製ハンドルであり、前記扉の端縁部は、前記扉の前板とは別体に設けられ、前記扉の前板の一部を形成するよう前記扉の前板の端部に組み合わされる前面ベース板と、前記扉の一側の側板を構成する側面板とを備えたハンドル取り付け板で構成され、前記取り付け部にはネジ込み口が裏側の取り付け面に開口する状態に埋め込まれたナットを備え、前記断熱材の発泡充填前に前記前面ベース板の裏側から前記ナットに螺合する取り付けネジによって前記取り付け部が前記前面ベース板の前面側に固定されたことを特徴とする。  
【０００７】
第２発明の貯蔵庫は、前面開口の貯蔵庫本体と、金属製前板と裏板とこの両者間に渡る側板の間に形成された空間に断熱材が発泡充填され前記貯蔵庫本体の前面開口を開閉する扉と、この扉の前面端縁部に沿って取り付けられる握りハンドルを備え、前記握りハンドルは握り部とその両端部に設けた取り付け部が一体に木製で形成された木製ハンドルであり、前記扉の端縁部は前記扉の前板とは別体に設けられたハンドル取り付け板で構成され、前記ハンドル取り付け板は、前記扉の前板の一部を形成するよう前記扉の前板の端部に組み合わされる合成樹脂製の前面ベース板と、前記前面ベース板に前端が接合され前記扉の一側の側板を構成する合成樹脂製の側面板とを備え、前記取り付け部にはネジ込み口が裏側の取り付け面に開口する状態に埋め込まれたナットを備え、前記断熱材の発泡充填前に前記前面ベース板の裏側から前記ナットに螺合する取り付けネジによって前記取り付け部が前記前面ベース板の前面側に固定されたことを特徴とする。
【発明の効果】
【０００９】
第１発明では、高級感のある貯蔵庫とするために、合成樹脂製ハンドルに替わって木製ハンドルを採用する。この木製ハンドルは、全体的に木材の材質と木目によって合成樹脂にない外観を醸し出し、握ったときの木製の感触によって高級感が味わえると共に、握り部とその両端部に設けた取り付け部が一体に木製で形成されものであるため、強度が確保され軋み音が出ない構造となる。また、握りハンドルが取り付けられる扉の前面端部は、扉の前板の一部を形成する前面ベース板と扉の側板の一部を構成する側面板とを備えたハンドル取り付け板で構成されるため、一枚の扉の前板に木製ハンドルを取り付ける場合に比して、木製ハンドルのベース板となるハンドル取り付け板の形状や色調を、木製ハンドルの形状や木目色調等とマッチングするように設計することが容易となり、扉のデザイン設計に融通性が増す。このため、扉の前板全体が平坦な形態に比して、デザイン効果が向上することとなり、ハンドル取り付け板は、金属製前板とは異なる色調とすることによって更にデザイン効果が向上したものとなる。更に、ハンドル取り付け板を扉の前板と結合した後に木製ハンドルをハンドル取り付け板に固定する手順もあるが、縦長の大きな扉の場合において、作業のし易さを考慮すれば、ハンドル取り付け板を扉の前板と結合する前に、木製ハンドルをハンドル取り付け板に固定することも可能であるため、作業の手順をいずれで行なうかの選択肢が増える。更にまた、ハンドル取り付け板を扉の前板と結合した後に木製ハンドルを前面ベース板に固定する手順もあるが、縦長の大きな扉の場合において、作業のし易さを考慮すれば、ハンドル取り付け板を扉の前板と結合する前に、木製ハンドルを前面ベース板に固定することも可能であるため、作業の手順をいずれで行なうかの選択肢が増える。
【００１０】
第２発明の貯蔵庫は、ハンドル取り付け板は、扉の金属製前板の一部を形成するよう、この金属製前板の端部に組み合わされる合成樹脂製の前面ベース板と、この前面ベース板に前端が接合され扉の一側の側板を構成する合成樹脂製の側面板とが別体構成であることによって、第１発明の効果に加えて、前面ベース板をハンドルに対応して、アクセントをつけた扉外観を呈するようにし易く、扉の前板全体が平坦な形態に比して、デザイン効果が向上し、前面ベース板を金属製前板とは異なる色調とすることによって更にデザイン効果が向上したものとなる。更に、側坂を前面ベース板とは別体の側面板で構成することによって、扉の側板との色調統一や、扉の側板との色調統一などがし易くなる。
【発明を実施するための最良の形態】
【００１４】
本発明の貯蔵庫は、前面開口の貯蔵庫本体と、前板と裏板とこの両者間に渡る側板の間に形成された空間に断熱材が発泡充填され前記貯蔵庫本体の前面開口を開閉する扉と、この扉の前面端縁部に沿って取り付けられる握りハンドルを備え、前記握りハンドルは握り部とその両端部に設けた取り付け部が一体に木製で形成された木製ハンドルであり、前記扉の端縁部は、前記扉の前板とは別体に設けられ、前記扉の前板の一部を形成するよう前記扉の前板の端部に組み合わされる前面ベース板と、前記扉の一側の側板を構成する側面板とを備えたハンドル取り付け板で構成され、前記取り付け部にはネジ込み口が裏側の取り付け面に開口する状態に埋め込まれたナットを備え、前記断熱材の発泡充填前に前記前面ベース板の裏側から前記ナットに螺合する取り付けネジによって前記取り付け部が前記前面ベース板の前面側に固定されたものであり、本発明の実施例を以下に記載する。
【実施例１】
【００１５】
次に、本発明の貯蔵庫を冷凍冷蔵庫とした実施の形態について説明する。図１は本発明に係る冷凍冷蔵庫の正面斜視図、図２は本発明に係る冷凍冷蔵庫の扉の分解斜視図、図３は本発明に係る冷凍冷蔵庫の扉のハンドル部分の縦断側面図、図４は本発明に係る冷凍冷蔵庫の扉のハンドル取り付け部分に対応する横断平面図、図５は本発明に係る冷凍冷蔵庫の扉のハンドル取り付け部分の拡大した横断平面図、図６は本発明に係る冷凍冷蔵庫の扉のハンドル取り付け部分の拡大した縦断側面図である。
【００１６】
本発明に係る貯蔵庫として代表的な一つである冷凍冷蔵庫１について説明する。冷凍冷蔵庫１は、前面開口の冷凍冷蔵庫本体（貯蔵庫本体）２内を区画して複数の貯蔵室を形成し、これら各貯蔵室の前面は扉で開閉できる構成である。冷凍冷蔵庫本体２は外箱（外壁板）と内箱（内壁板）との間に発泡断熱材を充填した断熱構造である。冷凍冷蔵庫本体２内には、上から冷蔵室３、製氷室４と冷凍温度室５、冷凍室６、野菜室７が区画されて設けられている。冷蔵室３の前面開口は、冷凍冷蔵庫本体２の一側部にヒンジ装置９、９によって支持されてそれぞれ横開き（通称、観音開き）できる左右の扉８Ａ、８Ｂによって開閉されるものである。
【００１７】
製氷室４は内部に自動製氷機が設置され、この自動製氷機で造られる氷を溜める貯氷容器を一緒に引き出す引き出し式扉１０によって、製氷室４の前面開口は開閉される。冷凍温度室５の前面開口は、冷凍温度室５内の食品貯蔵容器を一緒に引き出す引き出し式扉１１によって開閉される。冷凍室６の前面開口は、冷凍室５内の食品貯蔵容器を一緒に引き出す引き出し式扉１２によって開閉される。野菜室７の前面開口は、野菜室７内の野菜貯蔵容器を一緒に引き出す引き出し式扉１３によって開閉される。
【００１８】
これらの扉８Ａ、８Ｂと、引き出し式扉１０と、引き出し式扉１１と、引き出し式扉１２と、引き出し式扉１３のいずれも、前板と裏板とこの両者間に渡る側板の間に形成された空間に断熱材が発泡充填された断熱扉構造である。本発明に係るハンドル構造については、いずれの扉に適用してもよいが、この実施例の貯蔵庫１の一つである冷凍冷蔵庫１において、最も適切な効果が発揮できる箇所として、冷蔵室３の扉８Ａ、８Ｂに適用した場合の構成を以下に説明することとする。
【００１９】
冷蔵室３の扉８Ａ、８Ｂは、左右対称形状であって同様の構成であるため、実施例の図示のものは冷蔵室３の扉８Ａ、８Ｂのうちの一方の扉８Ｂについて示している。冷蔵室３の扉８Ａ、８Ｂは、前板１５と裏板１６とこの両者間に渡る側板１７Ａ、１７Ｂ、１７Ｃ、１７Ｄの間に形成された空間１８に発泡性断熱材１９が発泡充填された断熱扉である。冷蔵室３の扉８Ａ、８Ｂは、閉じたとき相互に近接する前面端縁部に沿って、前板１５に握りハンドル２０が取り付けられている。この握りハンドル２０は、扉８Ａ、８Ｂの上下方向に長い形態であって、握り部２１とその両端部に設けた取り付け部２２が一体に木製で形成された木製ハンドルである。この木製ハンドル２０は、無垢のままでもよいが、外面の傷つき防止のためには、木目が見える状態で傷がつき難い表面仕上げ材で覆う形態でもよい。
【００２０】
ハンドル２０の取り付け部２２には、ネジ込み口２３Ａが裏側の取り付け面２２Ａに開口する状態に埋め込まれたナット２３を複数個所に備えている。ナット２３は、取り付け部２２に形成した下孔２５にナット２３の外面に形成したネジ部をねじ込んで固定し、この固定状態で、ネジ込み口２３Ａが取り付け面２２Ａに開口する状態となる。通称このナット２３は鬼目ナットと称される。
【００２１】
扉８Ａ、８Ｂは、前板１５と裏板１６とこの両者間に渡る側板１７Ａ、１７Ｂ、１７Ｃ、１７Ｄの組み合わせによって、これらの間に形成された空間１８に発泡性断熱材１９が発泡充填されるが、このようにナット２３が取り付けられたハンドル２０は、断熱材１９の発泡充填前に前板１５の裏側から適宜補強板２６を介してナット２３に螺合する取り付けネジ２４によって取り付け部２２が前板１５の前面側に固定される。
【００２２】
扉８Ａ、８Ｂは、外観デザインの向上のために、前板１５は、扉８Ａ、８Ｂの前面の大半を占める大きさの金属製前板１５Ａと、残りの前板１５Ｂ部分は、扉８Ａ、８Ｂが近接する側である扉８Ａ、８Ｂのハンドル２０側の端縁部を構成するように組み合わせたハンドル取り付け板２７によって構成している。ハンドル取り付け板２７とハンドル２０は、扉８Ａ、８Ｂの上下の側板１７Ｃ、１７Ｄに渡る長さを有し、ハンドル２０に対応してハンドル取り付け板２７は、前板１５Ａよりも後方へ窪んだ位置２８にあり、この窪んだ位置２８にハンドル２０が配置される形態であり、ハンドル２０の握り部２１に対応して後方へ緩やかな曲線でもって窪んだ窪み２８Ａを形成し、ハンドル２０の取り付け部２２が嵌るように取り付け窪み２８Ｂが上下位置に形成されている。
【００２３】
これによって、前板１５のハンドル２０対応部分の前板１５Ｂは、アクセントをつけた扉外観を呈するようになり、扉８Ａ、８Ｂの前板１５全体が平坦な形態に比して、デザイン効果が向上する。また、ハンドル取り付け板２７は、金属製前板１５Ａとは異なる色調とすることによって更にデザイン効果が向上したものとなる。
【００２４】
ハンドル取り付け板２７は、扉８Ａ、８Ｂの前板１５の一部１５Ｂを形成する前面ベース板２７Ａと、扉８Ａ、８Ｂの側板の一部である側板１７Ａを構成する側面板２７Ｂとを備えている。前面ベース板２７Ａと側面板２７Ｂとは、それぞれインジェクション成形された合成樹脂製の別体のものが接合されて一体化された構成であり、窪み２８Ａ及び窪み２８Ｂは、前面ベース板２７Ａに形成される。
【００２５】
金属製前板１５Ａは、ハンドル２０の取り付け端縁部とは反対側（ヒンジ装置９側）の扉８Ａ、８Ｂの側板１７Ｂを折り曲げによって一体形成している。扉８Ａ、８Ｂの組み立ては、前面ベース板２７Ａと側面板２７Ｂが一体化されたハンドル取り付け板２７を準備し、ハンドル取り付け板２７の前面ベース板２７Ａの溝２９に前板１５Ａの端部を挿入した状態で、溝２９の後壁に取り付けるバネ性の取り付け具３０によって、前板１５Ａの端部と前面ベース板２７Ａとを結合して、ハンドル取り付け板２７と金属製前板１５Ａとを一体化し、この一体化物の上下端部に側板１７Ｃ、１７Ｄを形成する合成樹脂製のキャップを結合し、裏板１６を側板１７Ａ、１７Ｂ、１７Ｃ、１７Ｄに組み合わせてこれらの間に空間１８を形成した扉基体を形成する。
【００２６】
この場合、ハンドル２０は、ハンドル取り付け板２７と金属製前板１５Ａとを一体化する前に、前面ベース板２７Ａの前面に配置し、前面ベース板２７Ａの裏側から適宜補強板２６を介して、ナット２３に螺合する取り付けネジ２４によって取り付け部２２が前板１５の前面側で窪み２８Ｂに固定される。しかし、前記扉基体の組み立て中にハンドル２０が傷つく虞があるため、それを防止するためには、裏板１６を側板１７Ａ、１７Ｂ、１７Ｃ、１７Ｄに組み合わせる前に、上記同様に、ハンドル２０を前面ベース板２７Ａにネジ２４によって取り付けることができる。
【００２７】
このようにハンドル２０が取り付けられた扉基体を発泡冶具にセットした状態で、空間１８に発泡性断熱材１９を発泡充填することによって、断熱扉８Ａ、８Ｂが形成される。
【００２８】
ハンドル取り付け板２７は、前面ベース板２７Ａと側面板２７Ｂとが別体構成であることによって、前面ベース板２７Ａをハンドル２０に対応して、アクセントをつけた扉外観を呈するようにし易く、扉８Ａ、８Ｂの前板１５全体が平坦な形態に比して、デザイン効果が向上し、また、前面ベース板２７Ａを金属製前板１５Ａとは異なる色調とすることによって更にデザイン効果が向上したものとなる。更に、側坂１７Ａを前面ベース板２７Ａとは別体の側面板２７Ｂで構成することによって、扉８Ａ、８Ｂの側板１７Ａ、１７Ｂとの色調統一や、側板１７Ａ、１７Ｂ、１７Ｃ、１７Ｄとの色調統一などがし易くなる。
【００２９】
なお、ハンドル取り付け板２７は、前面ベース板２７Ａと側面板２７Ｂとは、別体構成でなく一体成形した形態でもよい。また、ハンドル取り付け板２７は、ハンドル２０が取り付けられる前板１５Ｂを構成すればよいため、側面板２７Ｂを含まない前面ベース板２７Ａのみとし、側板１７Ａは別体として扉基体の組み立て時に前面ベース板２７Ａや側板１７Ｃ、１７Ｄや裏板１６と結合させるものでもよい。
【００３０】
図７及び図８には、上記のように、前面ベース板２７Ａと側面板２７Ｂとで構成したハンドル取り付け板２７の前面ベース板２７Ａに、合成樹脂製の握りハンドル２００を取り付ける形態を示している。ハンドル２００は、扉８Ａ、８Ｂの上下方向に長い形態であって、合成樹脂製のハンドル基部２００Ａと合成樹脂製の前面カバーのキャップ部材２００Ｂとから構成される。なお、図１〜図６のものと同一部分は同一部号を付している。
【００３１】
扉８Ａ、８Ｂの組み立ては、上記同様に、前面ベース板２７Ａと側面板２７Ｂが一体化されたハンドル取り付け板２７を準備し、ハンドル取り付け板２７の前面ベース板２７Ａの溝２９に前板１５Ａの端部を挿入した状態で、溝２９の後壁に取り付けるバネ性の取り付け具３０によって、前板１５Ａの端部と前面ベース板２７Ａとを結合して、ハンドル取り付け板２７と金属製前板１５Ａとを一体化し、この一体化物の上下端部に側板１７Ｃ、１７Ｄを形成する合成樹脂製のキャップを結合し、裏板１６を側板１７Ａ、１７Ｂ、１７Ｃ、１７Ｄに組み合わせてこれらの間に空間１８を形成した扉基体を形成する。この扉基体を発泡冶具にセットした状態で、空間１８に発泡性断熱材１９を発泡充填することによって、断熱扉８Ａ、８Ｂが形成される。
【００３２】
ハンドル２００は、空間１８に発泡性断熱材１９を発泡充填した後に、ハンドル基部２００Ａの上下部に形成した取り付け部２２０の一部に形成したかぎ部２２０Ａを窪み２８Ｂに形成した孔２２１に引っ掛ける状態で、上下の取り付け部２２０を窪み２８Ｂにセットし、必要に応じてネジ２２７によって前面ベース板２７Ａに固定する。この状態で、ハンドル基部２００Ａの前面から補強金具２２２をハンドル基部２００Ａ内にネジ２２３止めした後、ハンドル基部２００Ａの前面から補強金具２２２を貫通して、ネジ２２４によって前面ベース板２７Ａにハンドル基部２００Ａを固定する。
【００３３】
このように固定されたハンドル基部２００Ａに対して、キャップ部材２００Ｂの裏側に適宜形成した係止部２２５をハンドル基部２００Ａに形成した係止部２２６に弾性係合させることによって、キャップ部材２００Ｂをハンドル基部２００Ａの前面に結合させる。これによって、ハンドル２００が完成し、上下の取り付け部２０２間が握り部２１０となる。
【産業上の利用可能性】
【００３４】
本発明の貯蔵庫は、上記実施形態に限定されず、本発明の技術的範囲を逸脱しない限り種々の形態に適用できるものであり、上記木製ハンドルの取り付けられる扉も、冷蔵室扉に限らず、他の室の扉に適用してもよい。
【図面の簡単な説明】
【００３５】
【図１】本発明に係る冷凍冷蔵庫の正面斜視図である。（実施例１）
【図２】本発明に係る冷凍冷蔵庫の扉の分解斜視図である。（実施例１）
【図３】本発明に係る冷凍冷蔵庫の扉のハンドル部分の縦断側面図である。（実施例１）
【図４】本発明に係る冷凍冷蔵庫の扉のハンドル取り付け部分に対応する横断平面図である。（実施例１）
【図５】本発明に係る冷凍冷蔵庫の扉のハンドル取り付け部分の拡大した横断平面図である。（実施例１）
【図６】本発明に係る冷凍冷蔵庫の扉のハンドル取り付け部分の拡大した縦断側面図である。（実施例１）
【図７】ハンドル取り付け板に本発明前の発明に係る合成樹脂製ハンドルを取り付けたハンドル部分の縦断側面図である。
【図８】図７のハンドルの分解斜視図である。
【符号の説明】
【００３６】
１・・・・冷凍冷蔵庫（貯蔵庫）
２・・・・冷凍冷蔵庫本体
３・・・・冷蔵室
８Ａ、８Ｂ・・・・冷蔵室扉
９・・・・ヒンジ装置
１５、１５Ａ、１５Ｂ・・・前板
１６・・・裏板
１７Ａ、１７Ｂ、１７Ｃ、１７Ｄ・・・・側板
１８・・・空間
１９・・・発泡性断熱材
２０・・・握りハンドル
２１・・・握り部
２２・・・取り付け部
２３・・・ナット
２４・・・取り付けネジ
２６・・・補強版
２７・・・ハンドル取り付け板
２７Ａ・・前面ベース板
２７Ｂ・・側面板
２８Ａ、２８Ｂ・・・窪み
【図１】
0004744368.tif 000002
【図２】
0004744368.tif 000003
【図３】
0004744368.tif 000004
【図４】
0004744368.tif 000005
【図５】
0004744368.tif 000006
【図６】
0004744368.tif 000007
【図７】
0004744368.tif 000008
【図８】
0004744368.tif 000009